(57)【特許請求の範囲】
【請求項１】
インバータスタックと、このインバータスタックを正面側より進入させて収納する配電盤とを備えたインバータ装置において、
前記インバータスタックは、自身の三相の出力端子と、前記配電盤を構成し、かつ負荷に接続された出力電線が取り付けられた出力中継端子とを中継する出力中継部として、
前記出力端子からの三相の出力をそのまま前記出力中継端子に出力可能な三相出力中継バーと、この三相出力中継バーを前記インバータスタックに固定させるための固定金とが絶縁部材を介してユニット化された第１出力中継ユニットと、
前記出力端子からの三相の出力を単相として前記出力中継端子に出力可能な単相出力中継バーと、この単相出力中継バーを前記インバータスタックに固定させるための固定金とが絶縁部材を介してユニット化された第２出力中継ユニットと
のうち択一的に選択されたものが用いられていることを特徴とするインバータ装置。
【請求項２】
前記出力中継端子は、前記インバータスタックを収納する収納底部に該インバータスタックの進入方向に沿って延在する態様で設けられており、
前記第１出力中継ユニットを構成する前記三相出力中継バーは、
上下方向に沿って延在し、かつ上端部が前記出力端子に連結可能な第１三相出力中継バーと、
上下方向に沿って延在する基部と、この基部の下端より前記インバータスタックの進入方向に沿って延在する先端部とを有し、前記基部が前記第１三相出力中継バーの下端部と締結部材を介して締結され、かつ前記先端部が前記出力中継端子と締結部材を介して締結可能な第２三相出力中継バーと
を備え、
前記第２出力中継ユニットを構成する前記単相出力中継バーは、
上下方向に沿って延在し、かつ上端部が前記出力端子に連結可能な第１単相出力中継バーと、
上下方向に沿って延在する基部と、この基部の下端より前記インバータスタックの進入方向に沿って延在する先端部とを有し、前記基部が前記第１単相出力中継バーの下端部と締結部材を介して締結され、かつ前記先端部が前記出力中継端子と締結部材を介して締結可能な第２単相出力中継バーと
を備え、
前記第２三相出力中継バー及び第２単相出力中継バーは、前記締結部材が挿通する挿通孔が該締結部材の外径よりも拡径であることを特徴とする請求項１に記載のインバータ装置。
【発明の詳細な説明】
【技術分野】
【０００１】
本発明は、インバータ装置に関し、より詳細には、インバータスタックと、このインバータスタックを正面側より進入させて収納する配電盤とを備えたインバータ装置に関するものである。
【背景技術】
【０００２】
従来、インバータ装置として、底部にキャスタを有するインバータスタックと、このインバータスタックを正面側より進入させて収納する配電盤とを備えたものが知られている（例えば、特許文献１参照）。
【先行技術文献】
【特許文献】
【０００３】
【特許文献１】特開平７−１２３５３９号公報
【発明の概要】
【発明が解決しようとする課題】
【０００４】
上記特許文献１には明確に示されてはいないが、従来のインバータ装置においては、インバータスタックの三相の出力端子と、配電盤を構成し、かつ負荷に接続された出力電線が取り付けられた出力中継端子とを平板状の出力中継バーで連結していた。そして、顧客の要求や仕様の変更等によりインバータ装置の出力端子構成を変更する場合には、出力端子と出力中継端子とを連結する出力中継バーを取り外し、新たな出力中継バーで出力端子と出力中継端子とを連結した後に、この新たな出力中継バーに絶縁部材を介して固定金を取り付け、かかる固定金をインバータスタックの所定部位に固定させる必要があり、結果として、出力端子構成の変更作業が煩雑なものとなっていた。
【０００５】
本発明は、上記実情に鑑みて、インバータスタックと配電盤とを連結する出力端子構成の変更を簡単に行うことが可能なインバータ装置を提供することを目的とする。
【課題を解決するための手段】
【０００６】
上記目的を達成するために、本発明の請求項１に係るインバータ装置は、インバータスタックと、このインバータスタックを正面側より進入させて収納する配電盤とを備えたインバータ装置において、前記インバータスタックは、自身の三相の出力端子と、前記配電盤を構成し、かつ負荷に接続された出力電線が取り付けられた出力中継端子とを中継する出力中継部として、前記出力端子からの三相の出力をそのまま前記出力中継端子に出力可能な三相出力中継バーと、この三相出力中継バーを前記インバータスタックに固定させるための固定金とが絶縁部材を介してユニット化された第１出力中継ユニットと、前記出力端子からの三相の出力を単相として前記出力中継端子に出力可能な単相出力中継バーと、この単相出力中継バーを前記インバータスタックに固定させるための固定金とが絶縁部材を介してユニット化された第２出力中継ユニットとのうち択一的に選択されたものが用いられていることを特徴とする。
【０００７】
また、本発明の請求項２に係るインバータ装置は、上述した請求項１において、前記出力中継端子は、前記インバータスタックを収納する収納底部に該インバータスタックの進入方向に沿って延在する態様で設けられており、前記第１出力中継ユニットを構成する前記三相出力中継バーは、上下方向に沿って延在し、かつ上端部が前記出力端子に連結可能な第１三相出力中継バーと、上下方向に沿って延在する基部と、この基部の下端より前記インバータスタックの進入方向に沿って延在する先端部とを有し、前記基部が前記第１三相出力中継バーの下端部と締結部材を介して締結され、かつ前記先端部が前記出力中継端子と締結部材を介して締結可能な第２三相出力中継バーとを備え、前記第２出力中継ユニットを構成する前記単相出力中継バーは、上下方向に沿って延在し、かつ上端部が前記出力端子に連結可能な第１単相出力中継バーと、上下方向に沿って延在する基部と、この基部の下端より前記インバータスタックの進入方向に沿って延在する先端部とを有し、前記基部が前記第１単相出力中継バーの下端部と締結部材を介して締結され、かつ前記先端部が前記出力中継端子と締結部材を介して締結可能な第２単相出力中継バーとを備え、前記第２三相出力中継バー及び第２単相出力中継バーは、前記締結部材が挿通する挿通孔が該締結部材の外径よりも拡径であることを特徴とする。
【発明の効果】
【０００８】
本発明によれば、インバータスタックは、自身の三相の出力端子と、配電盤を構成し、かつ負荷に接続された出力電線が取り付けられた出力中継端子とを中継する出力中継部として、出力端子からの三相の出力をそのまま出力中継端子に出力可能な三相出力中継バーと、この三相出力中継バーをインバータスタックに固定させるための固定金とが絶縁部材を介してユニット化された第１出力中継ユニットと、出力端子からの三相の出力を単相として出力中継端子に出力可能な単相出力中継バーと、この単相出力中継バーをインバータスタックに固定させるための固定金とが絶縁部材を介してユニット化された第２出力中継ユニットとのうち択一的に選択されたものが用いられているので、インバータスタックと配電盤とを連結する出力端子構成の変更を簡単に行うことができるという効果を奏する。
【図面の簡単な説明】
【０００９】
【図１】図１は、本発明の実施の形態であるインバータ装置を示す斜視図である。
【図２】図２は、図１に示したインバータ装置を構成するインバータスタックが運搬用カートに搬送される場合を示す斜視図である。
【図３】図３は、図１及び図２に示したインバータ装置に適用される運搬用カートを前方側から見た場合を示す斜視図である。
【図４】図４は、図１及び図２に示したインバータ装置に適用される運搬用カートを後方側から見た場合を示す斜視図である。
【図５】図５は、運搬用カートを配電盤に近接させた状態を拡大して示す斜視図である。
【図６】図６は、図１及び図２に示した配電盤におけるインバータスタックが収納する収納底部を示す斜視図である。
【図７】図７は、図６に示した収納底部の要部を拡大して示す斜視図である。
【図８】図８は、図６に示した配電盤の収納底部を側方から見た場合を示す説明図である。
【図９】図９は、図１及び図２に示したインバータ装置を構成するインバータスタックを示す斜視図である。
【図１０】図１０は、インバータ本体の上面の構成を示す説明図である。
【図１１】図１１は、ファンブロックの構成を示す斜視図である。
【図１２】図１２は、ファンブロックをインバータ本体に配設する手順を説明する説明図である。
【図１３】図１３は、ファンブロックをインバータ本体に配設する手順を説明する説明図である。
【図１４】図１４は、ファンブロックをインバータ本体に配設する手順を説明するものであり、その要部を前方側から見た場合を示す拡大断面図である。
【図１５】図１５は、ファンブロックをインバータ本体に配設する手順を説明するものであり、その要部を側方から見た場合を示す拡大断面図である。
【図１６】図１６は、ファンブロックをインバータ本体に配設する手順を説明するものであり、その要部を側方から見た場合を示す拡大断面図である。
【図１７】図１７は、インバータ本体の上部に配設したファンブロックの正面図である。
【図１８】図１８は、インバータ本体の上部に配設したファンブロックの要部の拡大断面側面図である。
【図１９】図１９は、インバータ本体の上部に配設したファンブロックの要部の分解斜視図である。
【図２０】図２０は、ファンブロックをインバータ本体から取り外す手順を説明するための説明図である。
【図２１】図２１は、ファンブロックをインバータ本体から取り外す手順を説明するための正面図である。
【図２２】図２２は、ファンブロックをインバータ本体から取り外す手順を説明するための説明図である。
【図２３】図２３は、インバータスタックと配電盤との入力側の接続状態を示す斜視図である。
【図２４】図２４は、図２３に示す要部を拡大して示す拡大斜視図である。
【図２５】図２５は、インバータスタックと配電盤との入力側の接続状態の解除を示す斜視図である。
【図２６】図２６は、インバータスタックと配電盤との出力側の接続状態を示す斜視図である。
【図２７】図２７は、図２６に示した出力中継バーを構成する第２出力中継バーを示す斜視図である。
【図２８】図２８は、図２６に示した出力中継バーを構成する第２出力中継バーを取り外した状態を示す側面図である。
【図２９】図２９は、下部フレームの構成を示す説明図である。
【図３０】図３０は、下部フレームの変形例の構成を示す説明図である。
【図３１】図３１は、第１出力中継ユニットを示す正面図である。
【図３２】図３２は、第１出力中継ユニットを示す側面図である。
【図３３】図３３は、第１出力中継ユニットを前方側から見た斜視図である。
【図３４】図３４は、第１出力中継ユニットを後方側から見た斜視図である。
【図３５】図３５は、第２出力中継ユニットを示す正面図である。
【図３６】図３６は、第２出力中継ユニットを示す側面図である。
【図３７】図３７は、第２出力中継ユニットを前方側から見た斜視図である。
【図３８】図３８は、第２出力中継ユニットを後方側から見た斜視図である。
【図３９】図３９は、図３１〜図３４に示した第１出力中継ユニットを取り付けた状態を示す説明図である。
【図４０】図４０は、図３５〜図３８に示した第２出力中継ユニットを取り付けた状態を示す説明図である。
【図４１】図４１は、図３１〜図３４に示した第１出力中継ユニットに適用可能なアタッチメント部材を前方側から見た斜視図である。
【図４２】図４２は、図３１〜図３４に示した第１出力中継ユニットに適用可能なアタッチメント部材を後方側から見た斜視図である。
【図４３】図４３は、図４１及び図４２に示したアタッチメント部材を適用した状態を示す説明図である。
【発明を実施するための形態】
【００１０】
以下に添付図面を参照して、本発明に係るインバータ装置の好適な実施の形態について詳細に説明する。
【００１１】
図１は、本発明の実施の形態であるインバータ装置を示す斜視図である。ここで例示するインバータ装置は、インバータスタック１０と配電盤５０とを備えて構成してある。インバータスタック１０は、内部にインバータ回路を備えるものであり、図２に示すように運搬用カート１により運搬され、対象となる配電盤５０に設置されるものである。
【００１２】
図３及び図４は、それぞれ図１及び図２に示したインバータ装置に適用される運搬用カート１を示すものであり、図３は、運搬用カート１を前方側から見た場合を示す斜視図であり、図４は、運搬用カート１を後方側から見た場合を示す斜視図である。
【００１３】
これら図３及び図４に示すように、運搬用カート１は、複数（例えば４つ）のカート用キャスタ１ａを備える基台２に、支持面３と、レールガイド（ガイド部材）４と、固定板金（固定支持部材）５と、把持部６とが設けられて構成してある。
【００１４】
支持面３は、基台２の上面において鋼板等により構成されたものであり、インバータスタック１０の底部に設けられたキャスタ１０ａが転動可能な面である。この支持面３は、インバータスタック１０を載置した状態で支持するものである。かかる支持面３は、図５に示すように、配電盤５０におけるインバータスタック１０の２つの載置面５１、すなわちインバータスタック１０のキャスタ１０ａが転動可能な面と同一の高さレベルを有している。
【００１５】
このような支持面３には、突出部３ａが設けてある。突出部３ａは、支持面３の後縁部より後方に突出する態様で形成された板状部である。この突出部３ａの左右幅の大きさは、配電盤５０における２つの載置面５１間の距離に適合しており、図５に示すように、突出部３ａは、運搬用カート１を正面側より近接させる場合に、載置面５１間に形成された配電盤５０の進入部５２に進入することで水平方向の位置決めを行うものである。
【００１６】
レールガイド４は、支持面３の左右両端において前後方向に沿って延在する長尺板状体である。これらレールガイド４は、ネジ等により支持面３に固定してある。このようなレールガイド４は、支持面３に載置した状態で支持されたインバータスタック１０を配電盤５０に向けて移動させる場合に、インバータスタック１０のキャスタ１０ａの転動をガイドするものであり、インバータスタック１０が左右方向にずれることを規制するものである。
【００１７】
固定板金５は、支持面３の前方側において基台２から立設する態様で設けられた板状体である。この固定板金５には、複数（例えば２つ）のネジ孔５ａが形成してある。これらネジ孔５ａは、支持面３にインバータスタック１０が載置した状態で支持されている場合に、該インバータスタック１０の下部前面に形成されたネジ孔１０ｂに対応してそれぞれ設けてある。これにより、インバータスタック１０が支持面３に支持されている場合に、固定板金５のネジ孔５ａ及びインバータスタック１０のネジ孔１０ｂの双方に前方側よりネジＮ１を挿通させ、かかるネジＮ１を軸心回りに回転させて締め付けることにより、固定板金５はインバータスタック１０と締結される。
【００１８】
つまり、固定板金５は、支持面３に支持されるインバータスタック１０にネジＮ１等の締結部材を介して締結されることで該インバータスタック１０を固定支持するものである。
【００１９】
把持部６は、基台２に左右一対となる態様で形成されたものである。これら把持部６は、長尺棒状体であるパイプを適宜屈曲させ、かつそれぞれの両端を基台２に溶接等で接続することにより構成したもので、利用者、すなわちインバータスタック１０の搬送者が把持するためのものである。尚、図３及び図４中の符号７は、ストッパであり、把持部６に設けてある。
【００２０】
このような運搬用カート１の支持面３に載置して支持するインバータスタック１０を、図２に示すように設置対象となる配電盤５０の正面側まで搬送し、その後に運搬用カート１を配電盤５０に近接させて突出部３ａを配電盤５０の所定の進入部５２に進入させることで位置決めを行う。そして、固定板金５及びインバータスタック１０のネジ孔５ｂ，１０ｂを挿通するネジＮ１を取り除いて固定板金５とインバータスタック１０との締結を解除し、インバータスタック１０を移動させて配電盤５０の正面側より進入させることで、図１に示すように配電盤５０に収納させることができる。
【００２１】
図６は、図１及び図２に示した配電盤５０におけるインバータスタック１０が収納する収納底部を示す斜視図であり、図７は、図６に示した収納底部の要部を拡大して示す斜視図であり、図８は、図６に示した配電盤５０の収納底部を側方から見た場合を示す説明図である。これら図６〜図８に示すように、配電盤５０は、出力中継端子５３を備えている。
【００２２】
出力中継端子５３は、複数（例えば３つ）設けてあり、Ｕ相の出力中継端子５３、Ｖ相の出力中継端子５３及びＷ相の出力中継端子５３がそれぞれインバータスタック１０の進入方向、すなわち前後方向に沿って延在し、かつ碍子５４を介して並列に並ぶ態様で配電盤５０の収納底部に設けてある。これら出力中継端子５３は、それぞれの背面側端部５３１が下方に屈曲しており、各背面側端部５３１に例えばモータ等の負荷に接続された出力電線５５が取り付けられている。また、出力中継端子５３は、それぞれの正面側端部５３２には、貫通孔５３２ａが形成してあるとともに該貫通孔５３２ａに対応する下面にナット５３２ｂが固定支持してある。
【００２３】
これら出力中継端子５３は、収納されるインバータスタック１０の底部よりも下方に位置しており、より詳細には、インバータスタック１０のキャスタ１０ａよりも高さレベルが低い位置にある。
【００２４】
図９は、図１及び図２に示したインバータ装置を構成するインバータスタック１０を示す斜視図である。インバータスタック１０は、下部フレーム２０と、インバータ本体３０と、ファンブロック４０とを備えて構成してある。下部フレーム２０は、インバータスタック１０の底部を構成するものであり、上述したキャスタ１０ａを有している。この下部フレーム２０は、詳細は後述するが、複数のフレーム材２１が直方体の各辺を成す態様でネジ止め等により連結されてなるものである。
【００２５】
インバータ本体３０は、内部にインバータ回路等の種々の回路を内蔵する筐体である。このインバータ本体３０の上面には、図１０に示すように、開口３１が形成してある。このような開口３１を形成するインバータ本体３０の上面の後縁部３２には、前方に向けて突出する２つの突片３２１が形成してある。また、この後縁部３２には、板バネ部材３２２がネジ等により締結することで固定してある。かかる板バネ部材３２２は、その先端部３２２ａが下方に向けて屈曲した形状を成しており、かかる先端部３２２ａが後縁部３２に形成された矩形状の貫通孔３２３に上方から進入している。
【００２６】
また、上記インバータ本体３０においては上記開口３１を形成する上面に接続する上部前面３３に、左右方向が長手方向となる２つの長孔３３１が形成してある。かかる長孔３３１には、前方側よりボルト部材６０の胴部６０ａが貫通しており、該長孔３３１を貫通する胴部６０ａは、長孔３３１よりも大きい長尺板状体である板金部材６１に形成された貫通孔６１１を貫通する態様で該板金部材６１に固定されたナット６１２に螺合している。また、図１０には図示していないが、このボルト部材６０の先端部６０ｂは、脱落防止用ナット６２が固定してある（図１８及び図１９参照）。
【００２７】
ファンブロック４０は、インバータ本体３０の上部に配設されており、内部にインバータ本体３０に対して空気を送出するための複数のファンＦが収納された箱状のものである。このファンブロック４０は、図１１に示すように、上面及び下面が開口した直方体状を成すものである。
【００２８】
このようなファンブロック４０においては、係合孔４１、フランジ４２及び係止孔４３が形成してある。係合孔４１は、ファンブロック４０における下部前面、すなわちファンブロック４０における前面の下端部から前方に延在した延在端部より下方に延在する部分の前面に複数（例えば２つ）形成してある。これら係合孔４１は、ボルト部材６０の頭部６０ｃよりも大径となる脱着孔部４１１と、該ボルト部材６０の頭部６０ｃよりも小径となる締付孔部４１２とが連続する態様で形成されたダルマ孔である。
【００２９】
フランジ４２は、ファンブロック４０における下面開口４０ａを形成する左右の下側縁部の後方側において、下方に向けて延在する態様で形成してある。係止孔４３は、ファンブロック４０の後面に形成されており、上記突片３２１の挿通を許容する大きさを有している。
【００３０】
このようなファンブロック４０は、次のようにしてインバータ本体３０に係合して配設される。図１２に示すように、ボルト部材６０の頭部６０ｃが係合孔４１の脱着孔部４１１を相対的に貫通する態様でファンブロック４０を前方側から後方に向けてインバータ本体３０の上面をスライド移動させる。その際、ファンブロック４０のフランジ４２は、図１３及び図１４に示すように、インバータ本体３０の開口３１を形成する上面の上側縁部３４よりも内方に位置しており、スライド移動するファンブロック４０が左右方向に必要以上にずれることを規制している。
【００３１】
そして、図１５に示すように、インバータ本体３０の突片３２１がファンブロック４０の係止孔４３に相対的に挿通し、図１６に示すように、ファンブロック４０の後面の下端部より後方に向けて延在する後延部４４を板バネ部材３２２の先端部３２２ａが自身の弾性復元力で押さえつけることで、ファンブロック４０の後方側は、インバータ本体３０に係合する。
【００３２】
その後、ボルト部材６０をその頭部６０ｃが脱着孔部４１１から締付孔部４１２に移動するよう左右方向に沿って変位させ、かかるボルト部材６０を締め付けることにより、図１７〜図１９に示すように、ファンブロック４０の前方側は、インバータ本体３０に係合する。これにより、ファンブロック４０をインバータ本体３０の上部に配設することができる。
【００３３】
一方、このようなファンブロック４０は、インバータ本体３０から次のようにして取り外される。図２０に示すように、ファンブロック４０に取り付けてあるコネクタＣＮを外してボルト部材６０の締め付け力を解除する。その後、図２１に示すように、ボルト部材６０をその頭部６０ｃが締付孔部４１２から脱着孔部４１１に移動するよう左右方向に沿って変位させる。そして、図２２に示すように、ファンブロック４０を前方側に引き出すことで、ファンブロック４０は、インバータ本体３０から取り外される。
【００３４】
つまり、インバータ本体３０とファンブロック４０との間においては、ボルト部材６０、係合孔４１、突片３２１、係止孔４３、板バネ部材３２２がインバータ本体３０に対してファンブロック４０を係合させる係合手段を構成している。特に、ボルト部材６０及び係合孔４１は、ボルト部材６０の胴部６０ａが係合孔４１の締付孔部４１２を貫通する状態で該ボルト部材６０が締め付けられる場合には、インバータ本体３０にファンブロック４０を係合する一方、ボルト部材６０の締め付け力が解除されて該ボルト部材６０が係合孔４１に対して相対的に左右方向に沿ってスライド移動することで胴部６０ａが係合孔４１の脱着孔部４１１を貫通する場合には、ファンブロック４０が前方側に引き出されることでインバータ本体３０から離脱することを許容している。
【００３５】
このような構成を有するインバータスタック１０は、次のようにして配電盤５０に収納されて設置されている。
【００３６】
図２３は、インバータスタック１０と配電盤５０との入力側の接続状態を示す斜視図であり、図２４は、図２３に示す要部を拡大して示す拡大斜視図である。これら図２３及び図２４に示すように、インバータスタック１０は、インバータ本体３０に設けられた２つの入力端子３５が、それぞれ入力中継バー７０を介して配電盤５０の入力側端子５６に連結されている。
【００３７】
入力中継バー７０は、板状部材であり、上端部が配電盤５０の対応する入力側端子５６と締結部材Ｔを介して締結されるとともに、下端部がインバータスタック１０の対応する入力端子３５と締結部材Ｔを介して締結されることで、上述したように入力側端子５６と入力端子３５とを連結するものである。
【００３８】
そして、それぞれの入力中継バー７０においては、締結部材Ｔであるボルトが貫通する孔部７１には共通の側部（右側部若しくは左側部）に連通する切欠７２が形成されている。
【００３９】
このように入力中継バー７０の孔部７１には切欠７２が形成されていることから、図２５に示すように、締結部材Ｔの締め付け力を解除することで該締結部材Ｔを取り外さなくても入力中継バー７０を離脱させることができる。
【００４０】
図２６は、インバータスタック１０と配電盤５０との出力側の接続状態を示す斜視図である。この図２６や上述した図８にも示すように、インバータ本体３０に設けられた図示せぬ３つの出力端子が、それぞれ出力中継バー７３を介して配電盤５０の出力中継端子５３の正面側端部５３２に連結されている。ここで、出力中継バー７３は、３つ設けてあり、Ｕ相の出力端子とＵ相の出力中継端子５３とを連結するもの、Ｖ相の出力端子とＶ相の出力中継端子５３とを連結するもの、Ｗ相の出力端子とＷ相の出力中継端子５３とを連結するものがある。
【００４１】
このような出力中継バー７３の構成は、それぞれ同様の構成を有しており、第１出力中継バー７３１と第２出力中継バー７３２とを備えている。第１出力中継バー７３１は、上下方向に沿って延在するものであり、上端部が対応する出力端子に連結されている。
【００４２】
第２出力中継バー７３２は、図２７に示すように、縦断面形状がＬ字状を成しており、より詳細には、基部７３２１と先端部７３２２とを有している。基部７３２１は、上下方向に沿って延在し、かつインバータスタック１０の底部より下方に突出する部位であり、その上端部が第１出力中継バー７３１の下端部と締結部材Ｔを介して締結してある。先端部７３２２は、基部７３２１の下端部より前方に向けて延在する部位であり、対応する出力中継端子５３の正面側端部５３２に締結部材Ｔを介して締結してある。つまり、配電盤５０に設けられた出力中継端子５３は、背面側端部５３１にモータ等の負荷に接続された出力電線５５が取り付けられ、かつ正面側端部５３２が、インバータスタック１０の出力端子に連結されるとともに該インバータスタック１０の底部より下方に突出する出力中継バー７３と締結部材Ｔを介して締結されるものである。
【００４３】
このような第２出力中継バー７３２においては、基部７３２１における締結部材Ｔが挿通する挿通孔７３２１ａ、並びに先端部７３２２における締結部材Ｔが挿通する挿通孔７３２２ａが、締結部材Ｔの外径よりも拡径となるよう形成してある。
【００４４】
これにより、基部７３２１の挿通孔７３２１ａで左右方向及び上下方向の寸法公差を吸収することが可能となり、また先端部７３２２の挿通孔７３２１ａで左右方向及び前後方向の寸法公差を吸収することが可能となる。
【００４５】
また、上記出力中継バー７３においては、図２８に示すように、第２出力中継バー７３２を第１出力中継バー７３１及び対応する出力中継端子５３の双方から取り外すことで、インバータスタック１０の駆動を検査するインバータ単体立ち上げを実施することができる。
【００４６】
上記出力中継バー７３は、インバータスタック１０の下部フレーム２０を貫通する態様で設けられることとなるから、該下部フレーム２０は、図２９に示すように、出力中継バー７３に貫通される四周枠の一辺を構成するフレーム材２１、すなわち前方側上辺を構成するフレーム材２１及び前方側下辺を構成するフレーム材２１が、例えばステンレス等の非磁性体により形成され、その他のフレーム材２１が、板金等により形成されるものである。
【００４７】
このように出力中継バー７３が貫通する四周枠の一辺を構成するフレーム材２１が非磁性体により形成されることで、渦電流の発生を規制することができる。
【００４８】
尚、図２９においては、出力中継バー７３に貫通される四周枠の一辺として、前方側上辺を構成するフレーム材２１及び前方側下辺を構成するフレーム材２１が非磁性体により形成されるものとしたが、本実施の形態の下部フレーム２０においては、図３０に示すように、前方側上辺を構成するフレーム材２１と前方側下辺を構成するフレーム材２１とを連結する左右一対の前方側縦辺を構成する縦フレーム材２２とからなる下部フレーム２０の前方部２３を例えばステンレス等の非磁性体により形成されるものとしても良い。
【００４９】
このような構成においても、出力中継バー７３が貫通する四周枠の一辺を構成するフレーム材２１が非磁性体により形成されることで、渦電流の発生を規制することができる。
【００５０】
上記インバータ装置においては、出力中継バー７３を出力中継部として、Ｕ相の出力端子とＵ相の出力中継端子５３とを連結するもの、Ｖ相の出力端子とＶ相の出力中継端子５３とを連結するもの、Ｗ相の出力端子とＷ相の出力中継端子５３とを連結するものを示したが、本実施の形態においては、かかる出力中継バー７３の代わりに第１出力中継ユニット８０及び第２出力中継ユニット９０のうち択一的に選択されたものを出力中継部として用いるようにしても良い。
【００５１】
図３１〜図３４は、それぞれ第１出力中継ユニット８０を示すものであり、図３１は正面図、図３２は側面図、図３３は前方側から見た斜視図、図３４は後方側から見た斜視図である。
【００５２】
ここで例示する第１出力中継ユニット８０は、３つの出力中継バー８１と固定金８２とを備えている。３つの出力中継バー８１は、それぞれＵ相の出力端子とＵ相の出力中継端子５３とを連結するもの、Ｖ相の出力端子とＶ相の出力中継端子５３とを連結するもの、Ｗ相の出力端子とＷ相の出力中継端子５３とを連結するものである。
【００５３】
これら３つの出力中継バー８１は、第１出力中継バー８１１と第２出力中継バー８１２とを備えている。第１出力中継バー８１１は、上下方向に沿って延在するものであり、上端部が対応する出力端子に連結可能なものである。第２出力中継バー８１２は、縦断面形状がＬ字状を成しており、より詳細には、基部８１２１と先端部８１２２とを有している。基部８１２１は、上下方向に沿って延在し、その上端部が第１出力中継バー８１１の下端部と締結部材Ｔを介して締結してある。先端部８１２２は、基部８１２１の下端部より前方に向けて延在する部位であり、対応する出力中継端子５３の正面側端部５３２に締結部材Ｔを介して締結可能なものである。そして、第２中継バーにおいては、基部８１２１における締結部材Ｔが挿通する挿通孔（図示せず）、並びに先端部８１２２における締結部材Ｔが挿通する挿通孔８１２２ａが、締結部材Ｔの外径よりも拡径となるよう形成してある。
【００５４】
固定金８２は、板金を適宜屈曲加工して構成したものであり、３つの出力中継バー８１とは、絶縁部材である樹脂８０ａを介して一体的に連結してユニット化されている。このような固定金８２は、インバータスタック１０に固定するためのものである。尚、図３１〜図３４の符号８３は、ホールＣＴであり、電流検知を行うものである。
【００５５】
このような第１出力中継ユニット８０は、３つの出力中継バー８１を有していることから、出力端子からの三相の出力をそのまま出力中継端子５３に出力可能なものである。
【００５６】
図３５〜図３８は、それぞれ第２出力中継ユニット９０を示すものであり、図３５は正面図、図３６は側面図、図３７は前方側から見た斜視図、図３８は後方側から見た斜視図である。
【００５７】
ここで例示する第２出力中継ユニット９０は、１つの出力中継バー９１と固定金９２とを備えている。出力中継バー９１は、第１出力中継バー９１１と第２出力中継バー９１２とを備えている。第１出力中継バー９１１は、上下方向に沿って延在するものであり、上端部が３つの出力端子に連結可能なものである。
【００５８】
第２出力中継バー９１２は、縦断面形状がＬ字状を成しており、より詳細には、基部９１２１と先端部９１２２とを有している。基部９１２１は、上下方向に沿って延在し、その上端部が第１出力中継バー９１１の下端部と締結部材Ｔを介して締結してある。先端部９１２２は、基部９１２１の下端部より前方に向けて延在する部位であり、いずれかの出力中継端子５３の正面側端部５３２に締結部材Ｔを介して締結可能なものである。そして、第２出力中継バー９１２においては、基部９１２１における締結部材Ｔが挿通する挿通孔（図示せず）、並びに先端部９１２２における締結部材Ｔが挿通する挿通孔９１２２ａが、締結部材Ｔの外径よりも拡径となるよう形成してある。
【００５９】
固定金９２は、板金を適宜屈曲加工して構成したものであり、出力中継バー９１とは、絶縁部材である樹脂９０ａを介して一体的に連結してユニット化されている。このような固定金９２は、インバータスタック１０に固定するためのものである。尚、図３５〜図３８の符号９３は、ホールＣＴであり、電流検知を行うものである。
【００６０】
このような第２出力中継ユニット９０は、１つの出力中継バー９１を有していることから、出力端子からの三相の出力を、Ｕ相、Ｖ相及びＷ相のいずれかの単相として出力中継端子５３に出力可能なものである。
【００６１】
そして、図３９に示すように、インバータスタック１０の下部フレーム２０に固定金８２を介して固定し、各出力中継バー８１と、出力端子及び出力中継端子５３とを締結することで第１出力中継ユニット８０を出力中継部として用いても良いし、図４０に示すように、インバータスタック１０の下部フレーム２０に固定金９２を介して固定し、出力中継バー９１と、各出力端子及びいずれかの出力中継端子５３とを締結することで第２出力中継ユニット９０を出力中継部として用いても良い。
【００６２】
以上説明したように、上記運搬用カート１においては、インバータスタック１０を載置した状態で支持する支持面３が設置対象となる配電盤５０におけるインバータスタック１０の載置面５１と同じ高さレベルを有しており、この支持面３より外方に突出する態様で設けられた突出部３ａが配電盤５０における載置面５１間に形成された進入部５２に進入することで水平方向の位置決めを行うので、従来用いたリフタのように高い位置合わせ精度を必要としない。しかもリフタのように支持台を上下方向に沿って移動させる機構等を必要としない。従って、上記運搬用カート１によれば、コストの低減化を図りながら、より簡単にインバータスタック１０を配電盤５０に設置することができる。
【００６３】
また、上記運搬用カート１によれば、支持面３上においてインバータスタック１０の移動可能な方向に沿って配設されたレールガイド４が、インバータスタック１０を移動させる場合に移動方向に対して左右方向にずれることを規制するので、該インバータスタック１０の設置作業を良好に行うことができる。
【００６４】
更に、上記運搬用カート１によれば、支持面３より立設する固定板金５が、該支持面３に支持されるインバータスタック１０にネジＮ１等の締結部材を介して締結されることで該インバータスタック１０を固定支持するので、運搬中にもインバータスタック１０が落下してしまうことを防止することができる。
【００６５】
また更に、上記運搬用カート１によれば、把持部６が支持面３を備えた基台２に左右一対となる態様で設けられているので、狭い通路等においてもインバータスタック１０を良好に運搬することが可能である。
【００６６】
上記インバータスタック１０においては、ボルト部材６０の胴部６０ａが係合孔４１の締付孔部４１２を貫通する状態で該ボルト部材６０が締め付けられる場合には、インバータ本体３０にファンブロック４０を係合する一方、ボルト部材６０の締め付け力が解除されて該ボルト部材６０が係合孔４１に対して相対的に左右方向に沿ってスライド移動することで胴部６０ａが係合孔４１の脱着孔部４１１を貫通する場合には、ファンブロック４０が前方側に引き出されることでインバータ本体３０から離脱することを許容するので、インバータスタック１０が設置される収納域の幅が狭い場合にもファンブロック４０をインバータ本体３０から離脱させることが可能で、ファンブロック４０の取出作業を容易に行うことができる。特に、インバータスタック１０によれば、ボルト部材６０の先端部６０ｂに脱落防止用ナット６２が固定してあるので、ボルト部材６０の締め付け力を解除した場合でもボルト部材６０が落下することがない。従って、ファンブロック４０をインバータ本体３０から離脱させる際に、ボルト部材６０が落下することを防止することができる。
【００６７】
また、上記インバータスタック１０によれば、ファンブロック４０をインバータ本体３０の上部に配設する場合に、インバータ本体３０の突片３２１をファンブロック４０の係止孔４３に挿通させており、更にファンブロック４０の後延部４４をインバータ本体３０に取り付けた板バネ部材３２２で押し付けているので、ファンブロック４０を後方に押し込むのみで良く、ファンブロック４０の設置作業を良好なものとすることができる。
【００６８】
上記インバータ装置においては、出力中継端子５３が、インバータスタック１０を収納する収納底部に該インバータスタック１０の進入方向に沿って延在する態様で設けられており、その背面側端部５３１にモータ等の負荷に接続された出力電線５５が取り付けられ、かつその正面側端部５３２が、インバータスタック１０の出力端子に連結されるとともに該インバータスタック１０の底部より下方に突出する出力中継バー７３と締結部材Ｔを介して締結されているので、出力中継端子５３と出力中継バー７３との締結を解除するだけで、インバータスタック１０と配電盤５０との出力側の接続状態を解除できる。従って、上記インバータ装置によれば、インバータスタック１０を配電盤５０から簡単に取り外すことができる。
【００６９】
また、上記インバータ装置によれば、入力中継バー７０が、共通の側部に連通する切欠７２が形成された孔部７１にボルト等の締結部材Ｔを挿通させるので、締結部材Ｔの締め付け力を解除することで該締結部材Ｔを取り外さなくても入力中継バー７０を離脱させることができ、インバータスタック１０と配電盤５０との入力側の接続状態を解除することができる。従って、これによってもインバータスタック１０を配電盤５０から簡単に取り外すことができる。
【００７０】
更に、上記インバータ装置によれば、インバータスタック１０を構成する下部フレーム２０は、出力中継バー７３に貫通される四周枠の一辺を構成するフレーム材２１が非磁性体により形成されているので、渦電流の発生を規制することができ、これにより渦電流の発生等による加熱及び振動を防止することができる。また、下部フレーム２０のその他のフレーム材２１は板金等で構成されているので、すべてのフレーム材をステンレス等の非磁性体で形成するのに比して製造コストを低下させることができる。従って、渦電流の発生等による加熱及び振動を防止しつつ、製造コストの低減化を図ることができる。尚、出力中継バー７３を伝達する電流量により下部フレーム２０に渦電流が生じないことが明らかであれば、非磁性体のフレーム材２１を板金等の磁性体で形成したフレーム材に交換しても良い。このように渦電流が生じないことが明らかな場合には、下部フレーム２０を構成するフレーム材２１をすべて磁性体で構成することで運用コストの低減化を図ることができる。
【００７１】
また更に、上記インバータ装置によれば、出力中継バー７３の代わりに出力中継部として、第１出力中継ユニット８０及び第２出力中継ユニット９０のうち択一的に選択されたものを用いることができるので、インバータスタック１０と配電盤５０とを連結する出力端子構成の変更を簡単に行うことができる。
【００７２】
以上、本発明の好適な実施の形態について説明したが、本発明はこれに限定されるものではなく種々の変更を行うことができる。
【００７３】
上述した実施の形態では、出力中継部として第１出力中継ユニット８０及び第２出力中継ユニット９０のうち択一的に選択されたものを用いるようにしたが、本発明では、第１出力中継ユニット８０の変形例として、次のようなアタッチメント部材８４を有するものを用いても良い。
【００７４】
図４１及び図４２は、それぞれ図３１〜図３４に示した第１出力中継ユニット８０に適用可能なアタッチメント部材８４を示すものであり、図４１は前方側から見た斜視図、図４２は後方側から見た斜視図である。ここで例示するアタッチメント部材８４は、３つの出力中継アタッチメントバー８５を備えている。
【００７５】
これら３つの出力中継アタッチメントバー８５は、第１出力中継アタッチメントバー８５１と第２出力中継アタッチメントバー８５２とを備えている。第１出力中継アタッチメントバー８５１は、上下方向に沿って延在する第１基部８５１１と、この第１基部８５１１の上端部より右方に向けて延在する右延部８５１２と、第１基部８５１１の下端部より左方に向けて延在する左延部８５１３とを有して成るものであり、第１基部８５１１が絶縁部材である樹脂８４ａを介してアタッチメント固定金８６に連結してある。
【００７６】
第２出力中継アタッチメントバー８５２は、上下方向に沿って延在する第２基部８５２１と、この第２基部８５２１の上端部より後方に延在する後延部８５２２と、第２基部８５２１の下端部より前方に延在する前延部８５２３とを有して成るものであり、後延部８５２２が第１出力中継アタッチメントバー８５１の左延部８５１３に締結部材Ｔを介して締結してある。
【００７７】
このようなアタッチメント部材８４は、図４３に示すように、アタッチメント固定金８６をインバータスタック１０の下部フレーム２０に固定し、各第２出力中継アタッチメントバー８５２の前延部８５２３と、対応する第２出力中継バー８１２の先端部８１２２とを締結部材Ｔを介して締結することで用いられる。
【００７８】
このようなアタッチメント部材８４を備えた第１出力中継ユニット８０を出力中継部として用いることで、顧客の要求や仕様の変更に柔軟に対応することができる。
【符号の説明】
【００７９】
１  運搬用カート
１ａ  カート用キャスタ
２  基台
３  支持面
３ａ  突出部
４  レールガイド（ガイド部材）
５  固定板金（固定支持部材）
５ａ  ネジ孔
６  把持部
１０  インバータスタック
１０ａ  キャスタ
２０  下部フレーム
２１  フレーム材
３０  インバータ本体
３１  開口
３２  後縁部
３２１  突片
３２２  板バネ部材
３２２ａ  先端部
３２３  貫通孔
３３  上部前面
３３１  長孔
３４  上側縁部
３５  入力端子
４０  ファンブロック
４０ａ  下面開口
４１  係合孔
４１１  脱着孔部
４１２  締付孔部
４２  フランジ
４３  係止孔
４４  後延部
５０  配電盤
５１  載置面
５２  進入部
５３  出力中継端子
５３１  背面側端部
５３２  正面側端部
５３２ａ  貫通孔
５３２ｂ  ナット
５４  碍子
５５  出力電線
５６  入力側端子
６０  ボルト部材
６０ａ  胴部
６０ｂ  先端部
６０ｃ  頭部
６１  板金部材
６１１  貫通孔
６１２  ナット
６２  脱落防止用ナット
７０  入力中継バー
７１  孔部
７２  切欠
７３  出力中継バー
７３１  第１出力中継バー
７３２  第２出力中継バー
７３２１  基部
７３２２  先端部
７３２１ａ  挿通孔
７３２２ａ  挿通孔
８０  第１出力中継ユニット
８１  出力中継バー
８０ａ  樹脂
８１１  第１出力中継バー
８１２  第２出力中継バー
８１２１  基部
８１２２  先端部
８１２２ａ  挿通孔
８２  固定金
８４  アタッチメント部材
８４ａ  樹脂
８５  出力中継アタッチメントバー
８５１  第１出力中継アタッチメントバー
８５１１  第１基部
８５１２  右延部
８５１３  左延部
８５２  第２出力中継アタッチメントバー
８５２１  第２基部
８５２２  後延部
８５２３  前延部
８６  アタッチメント固定金
９０  第２出力中継ユニット
９０ａ  樹脂
９１  出力中継バー
９１１  第１出力中継バー
９１２  第２出力中継バー
９１２１  基部
９１２２  先端部
９１２２ａ  挿通孔
９２  固定金
Ｆ  ファン
Ｔ  締結部材
【図１】
0005821534.tif 000002
【図２】
0005821534.tif 000003
【図３】
0005821534.tif 000004
【図４】
0005821534.tif 000005
【図５】
0005821534.tif 000006
【図６】
0005821534.tif 000007
【図７】
0005821534.tif 000008
【図８】
0005821534.tif 000009
【図９】
0005821534.tif 000010
【図１０】
0005821534.tif 000011
【図１１】
0005821534.tif 000012
【図１２】
0005821534.tif 000013
【図１３】
0005821534.tif 000014
【図１４】
0005821534.tif 000015
【図１５】
0005821534.tif 000016
【図１６】
0005821534.tif 000017
【図１７】
0005821534.tif 000018
【図１８】
0005821534.tif 000019
【図１９】
0005821534.tif 000020
【図２０】
0005821534.tif 000021
【図２１】
0005821534.tif 000022
【図２２】
0005821534.tif 000023
【図２３】
0005821534.tif 000024
【図２４】
0005821534.tif 000025
【図２５】
0005821534.tif 000026
【図２６】
0005821534.tif 000027
【図２７】
0005821534.tif 000028
【図２８】
0005821534.tif 000029
【図２９】
0005821534.tif 000030
【図３０】
0005821534.tif 000031
【図３１】
0005821534.tif 000032
【図３２】
0005821534.tif 000033
【図３３】
0005821534.tif 000034
【図３４】
0005821534.tif 000035
【図３５】
0005821534.tif 000036
【図３６】
0005821534.tif 000037
【図３７】
0005821534.tif 000038
【図３８】
0005821534.tif 000039
【図３９】
0005821534.tif 000040
【図４０】
0005821534.tif 000041
【図４１】
0005821534.tif 000042
【図４２】
0005821534.tif 000043
【図４３】
0005821534.tif 000044